(57)【要約】【課題】製造コストの増加を抑えた上で貯蔵庫本体等の増強を図る。【解決手段】前面が開口した断熱箱体からなる貯蔵庫本体１０を備え、この貯蔵庫本体１０は底面に設けられた脚部３２，４２が設置面Ｓに当てられることで支持されている。貯蔵庫本体１０の前面開口部１４には縦向きの仕切枠１５が設けられて左右に仕切られた出入口１６が形成され、各出入口１６に断熱扉１８が開閉可能に装着されているとともに、仕切枠１５の庫内側の面には、棚を受ける受け部６４が設けられている。仕切枠１５の下端には、脚部３２，４２と共に設置面Ｓに当接可能な当接部６２が延出して設けられている。【選択図】図１
2012154586.tif 000002
【特許請求の範囲】
【請求項１】
前面が開口した断熱箱体からなる貯蔵庫本体を備え、この貯蔵庫本体は底面に設けられた脚部が設置面に当てられることで支持されている一方、
前記貯蔵庫本体の前面開口部には縦向きの仕切枠が設けられて左右に仕切られた出入口が形成され、各出入口に断熱扉が開閉可能に装着されているとともに、前記仕切枠の庫内側の面には、棚を受ける受け部が設けられた冷却貯蔵庫において、
前記仕切枠の下端には、前記脚部と共に前記設置面に当接可能な当接部が延出して設けられていることを特徴とする冷却貯蔵庫。
【請求項２】
前記当接部は前記仕切枠と一体に形成されていることを特徴とする請求項１記載の冷却貯蔵庫。
【請求項３】
前記仕切枠の下端部における庫内側の面には、前記貯蔵庫本体の底面側の開口縁と嵌合する嵌合部が設けられていることを特徴とする請求項１または請求項２記載の冷却貯蔵庫。
【請求項４】
前記仕切枠が、合成樹脂製の外殻内に発泡樹脂製の断熱材が充填された構造になり、前記受け部が前記外殻と一体形成されていることを特徴とする請求項１ないし請求項３のいずれか一項に記載の冷却貯蔵庫。
【請求項５】
前記貯蔵庫本体が複数枚の断熱パネルを組み付けることで形成されるようになっており、前記仕切枠には、前記貯蔵庫本体を構成する天面パネルと底面パネルの前縁部と嵌合可能な組付部が形成されていることを特徴とする請求項１ないし請求項４のいずれか一項に記載の冷却貯蔵庫。
【発明の詳細な説明】
【技術分野】
【０００１】
本発明は、貯蔵庫本体等の増強を図るべく構造に改良を加えた冷却貯蔵庫に関する。
【背景技術】
【０００２】
２ドア形式の冷蔵庫の一般的な構造は、前面が開口した断熱箱体からなる貯蔵庫本体を備え、底面の四隅に設けられた脚部で支持されている一方、貯蔵庫本体の前面開口部には縦向きの仕切枠が設けられて左右に仕切られた出入口が形成され、各出入口に断熱扉が開閉可能に装着されている。また、仕切枠の庫内側の面には棚網を受ける受け部が複数段に亘って設けられ、庫内の他の内面に設けられた受け部とともに棚網を受けて装着し得るようになっている。この種の冷蔵庫は、例えば下記特許文献１に記載されている。
【先行技術文献】
【特許文献】
【０００３】
【特許文献１】特開２００６−２８４０６４号公報
【発明の概要】
【発明が解決しようとする課題】
【０００４】
ところで近年、この種の冷蔵庫においても、軽量化さらには製造コストの低減を図るために、貯蔵庫本体を構成する断熱箱体を薄肉化する傾向にある。一方上記従来の冷蔵庫では、仕切枠に棚網の受け部が設けられていることから、仕切枠に対して貯蔵物からの荷重が作用し、同荷重が、仕切枠の下端を受けた底面壁の前縁部における幅方向の中央部に掛かって、同箇所の変形を招くおそれがあるため、断熱箱体の薄肉化には限界があり、または変形防止用に補強部材を別途装備する必要があり、いずれにしてもコスト低減のための弊害となっており、その改善策が切望されていた。  
本発明は上記のような事情に基づいて完成されたものであって、その目的は、製造コストの増加を抑えた上で貯蔵庫本体等の増強を図った冷却貯蔵庫を提供するところにある。
【課題を解決するための手段】
【０００５】
本発明は、前面が開口した断熱箱体からなる貯蔵庫本体を備え、この貯蔵庫本体は底面に設けられた脚部が設置面に当てられることで支持されている一方、前記貯蔵庫本体の前面開口部には縦向きの仕切枠が設けられて左右に仕切られた出入口が形成され、各出入口に断熱扉が開閉可能に装着されているとともに、前記仕切枠の庫内側の面には、棚を受ける受け部が設けられた冷却貯蔵庫において、前記仕切枠の下端には、前記脚部と共に前記設置面に当接可能な当接部が延出して設けられているところに特徴を有する。
【０００６】
上記構成によれば、仕切枠に作用した荷重は仕切枠自身で受けることが可能となって、貯蔵庫本体の底面側の開口縁に局部的に負荷が掛かることが避けられ、同箇所に別途補強部材を設けなくても変形等を防止できる。構造的には仕切枠の下端に当接部を延出して設けただけであるから、安価に対応できる。結果、製造コストの上昇を最小限に抑えた上で貯蔵庫本体等の増強を実質的に図ることができる。
【０００７】
また、以下のような構成としてもよい。  
（１）前記当接部は前記仕切枠と一体に形成されている。当接部が別途備えられている場合と比べて、部品点数が削減でき、また仕切枠を組み付けることと併せて当接部の配設が行えるから、製造工程も簡略化でき、製造コストのさらなる低減に寄与し得る。  
（２）前記仕切枠の下端部における庫内側の面には、前記貯蔵庫本体の底面側の開口縁と嵌合する嵌合部が設けられている。貯蔵庫本体の底面壁に作用した荷重が仕切枠の当接部によっても受けられ、すなわち荷重が分散されることになるから、脚部の構造を簡易化する等が可能となる。
【０００８】
（３）前記仕切枠が、合成樹脂製の外殻内に発泡樹脂製の断熱材が充填された構造になり、前記受け部が前記外殻と一体形成されている。受け部を別途備えて後付けする場合と比べて、部品点数の削減と組み付け作業の簡略化を図ることができる。  
（４）前記貯蔵庫本体が複数枚の断熱パネルを組み付けることで形成されるようになっており、前記仕切枠には、前記貯蔵庫本体を構成する天面パネルと底面パネルの前縁部と嵌合可能な組付部が形成されている。貯蔵庫本体を組み立てることと併せて仕切枠の装着が行え、組み付けの作業時間の短縮化を図ることができる。
【発明の効果】
【０００９】
本発明の冷却貯蔵庫によれば、製造コストの増加を抑えた上で貯蔵庫本体等の増強を図ることができる。
【図面の簡単な説明】
【００１０】
【図１】本発明の一実施形態の冷蔵庫における機械室を含む貯蔵庫本体の斜視図
【図２】その分解斜視図
【図３】その平断面図
【図４】その縦断面図
【図５】その正面から視た断面図
【発明を実施するための形態】
【００１１】
＜実施形態＞
本発明の一実施形態を図１ないし図５に基づいて説明する。この実施形態では、２ドアの組み立て式冷蔵庫を例示しており、かつ無風冷却方式が採られている。  
この冷蔵庫は大まかには、図１に示すように、前面開口の箱形をなす断熱性の貯蔵庫本体１０が備えられ、貯蔵庫本体１０の上面には、冷凍装置１１（図４に鎖線で概略的に図示）を載置する機械室１２が設けられるとともに、貯蔵庫本体１０の前面開口部１４には、縦向きの断熱性の仕切枠１５が装着されることで左右に仕切られた出入口１６が形成され、両出入口１６には、一対の断熱扉１８（図４）が観音開き式の開閉可能に装着されている。
【００１２】
貯蔵庫本体１０の内部は冷蔵室２０とされて無風冷却方式で冷却されるようになっており、冷蔵室２０内には、冷蔵物を載置する棚網（図示せず）が複数段（例えば２段）に亘って張られるようになっている。  
貯蔵庫本体１０は、複数枚の断熱パネルを組み付けることによって形成されるようになっており、断熱パネルとしては、図２に示すように、底面パネル２５、左右の側面パネル３０、背面パネル４０及び天面パネル５０とが備えられている。これらのパネル２５，３０，４０，５０は、ブロー成形等によって所定形状に形成された合成樹脂製の中空の外殻内に、発泡樹脂からなる断熱材が発泡充填されることで形成されている。
【００１３】
各パネルの形状について説明する。  
底面パネル２５は、平面視でやや横長の長方形をなすように形成されており、その前縁の中央幅位置には、仕切枠１５の下端部を組み付けるための嵌合溝２６が切り欠き形成されている。  
左右の側面パネル３０は、向き合った形態で対称をなすように形成され、全体としてはやや縦長の長方形に形成されている。側面パネル３０の下端部には、上記した底面パネル２５の左側縁または右側縁を嵌める取付溝３１が、全幅に亘って形成されている。両側面パネル３０の下縁には、それぞれの前後両端に寄った位置に、幅広の逆台形をなす脚部３２が一体的に形成されている。
【００１４】
左右の側面パネル３０の対向した面上には、棚網の左右の側縁を載せて受ける側面側受け部３３が、水平姿勢を採ってほぼ全幅に亘って一体的に突出形成されている。また、両側面パネル３０の奥側の端面は４５度の角度をなす傾斜面３４とされており、さらに手前側の端面は、内側角部に面取り３５が施されている。  
また、両側面パネル３０の前縁の下端部には、断熱扉１８の回動軸を支持する下側の軸支部３６が突出形成されており、詳細には、同軸支部３６には、回動軸を構成する下側のヒンジピン１９Ｌを嵌めて支持する軸受孔３７が開口されている。
【００１５】
背面パネル４０は、貯蔵庫本体１０の背面開口の全面を覆うべくやや縦長の長方形状に形成されている。背面パネル４０の下端部には、底面パネル２５の奥縁を嵌める取付溝４１が全幅に亘って形成されている。背面パネル４０の下縁には、左右両端に寄った位置に幅広の逆台形をなす脚部４２が形成されている。  
背面パネル４０の左右の端面は、上記した側面パネル３０の奥側の傾斜面３４と整合する４５度の角度をなす傾斜面４３とされている。また、背面パネル４０の左右の端面の上端には、位置決め突部４４が突出形成されている。
【００１６】
背面パネル４０の内面には、平面配管形式の蒸発器７０がほぼ全面に亘って装着されている。蒸発器７０は詳細には、図２に示すように、蒸発管７１を同一平面上において複数段に亘ってジグザグ状に配管し、全体として正面視で背面パネル４０よりも一回り小さい長方形をなすように纏めた形状となっており、入口部７２と出口部７３とが正面視で右上角部において揃えられ、上方に突出している。  
係る蒸発器７０を装着するべく背面パネル４０の内面には、蒸発管７１のほぼ半円分を緊密に嵌めることが可能な断面半円形をなす装着溝４５が、蒸発器７０の配管に倣ったジクザグ状の形態で形成されている。
【００１７】
天面パネル５０は、上記した底面パネル２５にほぼ匹敵した大きさの平面視でやや横長の長方形に形成されており、但し底面パネル２５よりは厚肉に形成されている。天面パネル５０の下面における左右の側縁から奥縁に亘る領域には、左右の側面パネル３０と背面パネル４０の上縁が、天面パネル５０の周面と面一をなすように嵌る切欠溝５１が段差状に形成されている。奥縁の切欠溝５１の左右両端部には、上記した背面パネル４０の上縁に立てられた位置決め突部４４が嵌る位置決め孔（図示せず）が形成されている。また、同天面パネル５０の前縁の左右両端部には上側の軸支部５３が突出形成され、同軸支部５３には、断熱扉１８の回動軸を構成する上側のヒンジピン１９Ｕを嵌めて支持する軸受孔５４が開口されている。
【００１８】
既述したように、貯蔵庫本体１０の上面には機械室１２が設けられており、上記した天面パネル５０の上面における前縁から左右の側縁に亘って、機械室１２の外壁を構成する前面板５５と左右の側板５６とが、一体的に立ち上がり形成されている。前面板５５は全幅に亘って一定高さであり、左右の側板５６は奥側に向けて次第に背が低くなる傾斜状に形成されている。
【００１９】
一方、機械室１２の底面すなわち天面パネル５０の上面には、冷凍装置１１が設置されるようになっている。冷凍装置１１は、圧縮機、空冷式の凝縮器等を備えて構成されている。天面パネル５０の上面の中央部には、上記の冷凍装置１１を載置するための金属板製の載置板５８（図１及び図２おけるハッチングを施した部位）が装着されている。この載置板５８は詳細には、天面パネル５０の外殻を形成する際にインサート成形によって配されるようになっている。
【００２０】
仕切枠１５は、ブロー成形等によって細長い角筒状に形成された合成樹脂の外殻内に、発泡樹脂からなる断熱材が充填されることで形成されている。仕切枠１５は詳細には、貯蔵庫本体１０の前面開口部１４の上縁から、当該貯蔵庫本体１０が設置される設置面Ｓまで、言い換えると側面パネル３０と奥面パネルの下縁に形成された脚部３２，４２の下面にまで達する高さ寸法を有している。
【００２１】
仕切枠１５の庫内側の面における下端部の所定高さ位置には、上記した底面パネル２５の前縁に設けられた嵌合溝２６と互いに嵌合する嵌合溝６１が形成されている。両嵌合溝２６，６１が正規に嵌合すると、仕切枠１５と底面パネル２５の前面同士が面一となり、かつ仕切枠１５の下端部が底面パネル２５の下方に突出して、その下面が脚部３２，４２の下面の位置と整合する。この仕切枠１５の下端部が、設置面Ｓに直接に当接する当接部６２となっている。
【００２２】
また、仕切枠１５の上端面には、その庫内側の領域に嵌合柱６３が形成されているとともに、天面パネル５０の前端側の下面には同嵌合柱６３が嵌る嵌合孔５９が形成されていて、嵌合柱６３と嵌合孔５９とが正規に嵌合されると、仕切枠１５の前面が、天面パネル５０の前面から前面板５５に亘って面一となる。  
仕切枠１５の庫内側の面には、棚網の手前側の端縁を載せて受ける前側受け部６４が、側面パネル３０の側面側受け部３３と同じ高さにおいて２段に亘って一体的に形成されている。
【００２３】
上記した背面パネル４０の庫内側の面には、熱伝導性に優れた金属板からなる伝熱板７５が、蒸発器７０のカバーを兼ねて装着されるようになっている。伝熱板７５は、図４にも示すように、蒸発器７０の装着領域をほぼ覆う正面板７６と、この正面板７６の上縁から手前側の斜め上方に延出されて、天面パネル５０の奥側のほぼ半分の領域の下方を覆う上面板７７とから構成されている。  
伝熱板７５における正面板７６の表面には、棚網の奥縁を載せて受ける奥側受け部材７８が２段に亘って配されている。奥側受け部材７８は、正面板７６のほぼ全幅に亘る長さを持った別部材と形成され、後付けされるようになっており、伝熱板７５が正規位置に装着された場合に、側面パネル３０の側面側受け部３３、並びに仕切枠１５の前側受け部６４と同一高さに位置するようになっている。
【００２４】
本実施形態の冷蔵庫は、例えば以下のような手順で組み付けられる。  
まず、背面パネル４０の内面に形成された装着溝４５に、蒸発管７１が所定形状に配管されてなる蒸発器７０が嵌められる。なお、蒸発器７０の入口部７２と出口部７３には、図示しない接続管がそれぞれ上向きに接続される。そののち伝熱板７５が、正面板７６で蒸発器７０を押さえるようにして背面パネル４０の内面側に装着される。  
次に、底面パネル２５の左右の側縁と奥縁の回りに、左右の側面パネル３０と背面パネル４０とが、それぞれの下端部に形成された嵌合溝２６を嵌めつつ、立ち上がって組み付けられる。また、仕切枠１５が、底面パネル２５の前縁の中央幅位置において、嵌合溝２６，６１同士を嵌合させつつ立ち上がって組み付けられる。
【００２５】
続いて、天面パネル５０が、左右の側縁から奥縁に亘って形成された切欠溝５１を、左右の側面パネル３０と背面パネル４０の上縁に亘って嵌めつつ載せられ、そのとき、背面パネル４０の左右両端の位置決め突部４４が、天面パネル５０の奥縁の切欠溝５１の位置決め孔に挿入されるとともに、仕切枠１５の上端の嵌合柱６３が、天面パネル５０の前縁の下面に形成された嵌合孔５９に挿入される。  
また、詳しくは図示しないが、蒸発器７０の入口部７２と出口部７３にそれぞれ上向きに接続された接続管が、天面パネル５０を貫通して、機械室１２における正面視で右奥側の隅部から機械室１２内に突出する。
【００２６】
以上により貯蔵庫本体１０の組み付けが完了し、併せて貯蔵庫本体１０の上面に機械室１２が形成され、かつ同貯蔵庫本体１０の前面開口部１４に、当接部６２を備えた仕切枠１５が装着された状態となる。  
このように組み付けられた貯蔵庫本体１０は、左右の側面パネル３０と背面パネル４０とに一対ずつ設けられた脚部３２，４２が設置面Ｓに載せられるとともに、仕切枠１５の下端の当接部６２が設置面Ｓに当てられた形態で、設置面Ｓ上に支持される。  
貯蔵庫本体１０の内部は既述のように冷蔵室２０とされるが、冷蔵室２０の左右の側面と背面、並びに仕切枠１５の裏面には、棚網の受け部３３，６４と受け部材７８とが２段に亘って配された形態となる。  
また、貯蔵庫本体１０の両出入口１６には、左右一対の断熱扉１８が、それぞれ上下のヒンジピン１９Ｕ，１９Ｌを対応する上下の軸支部５３，３６の軸受孔５４，３７に嵌めて回動可能に支持される。
【００２７】
機械室１２内には冷凍装置１１が収納される。詳細には、冷凍装置１１は、機械室１２の底面となる天面パネル５０の上面に配設された載置板５８上に載置されて取り付けられる。同冷凍装置１１から引き出された冷媒配管が、蒸発器７０の入口部７２と出口部７３に対して接続管を介して接続され、すなわち冷凍装置１１と庫内に配された蒸発器７０とが冷媒の循環流通可能に接続されて、冷凍サイクルが構成される。
【００２８】
冷却運転は冷凍装置１１（圧縮機）を駆動することによって行われ、冷却運転に伴い蒸発器７０が冷却されると、その冷熱で伝熱板７５が冷却され、伝熱板７５に面した主に冷蔵室２０の奥側の庫内空気が冷却されてその冷気が下降し、相対的に高温となった庫内空気が冷蔵室２０の手前側を上昇するといった自然対流が生じることで冷蔵室２０内が冷却され、棚網上に載置された冷蔵物が冷蔵保存されることになる。
【００２９】
本実施形態の冷蔵庫では、仕切枠１５に対して冷蔵物の荷重が作用するのであるが、仕切枠１５の下端には当接部６２が延出形成されて設置面Ｓに直接に当てられていることから、仕切枠１５に作用した荷重は仕切枠１５自身で受けることが可能となり、例えば従来の仕切枠の下端が貯蔵庫本体の底面側の開口縁に載せられている場合と違って、貯蔵庫本体１０の底面側の開口縁に局部的に負荷が掛かることが避けられ、同箇所に別途補強部材を設けなくても変形等を防止できる。構造的には仕切枠１５の下端に当接部６２を一体的に延出して設けただけであるから、部品点数の増加はなく、また仕切枠１５を組み付けることと併せて当接部６２の配設が行えるから、製造工程も簡略化でき、安価に対応できる。結果、製造コストの上昇を最小限に抑えた上で貯蔵庫本体１０の増強を実質的に図ることができる。
【００３０】
仕切枠１５の下端部（当接部６２）に対して貯蔵庫本体１０を構成する底面パネル２５の前縁が嵌合された構造とされており、言い換えると、貯蔵庫本体１０の底面の開口縁に、当接部６２からなる別の脚部が設けられた構造とされているから、貯蔵庫本体１０の底面パネル２５に作用した荷重が仕切枠１５の当接部６２を含めて分散されることになり、既設の脚部の構造を簡易化する等が可能となる。  
また、仕切枠１５が、合成樹脂製の外殻内に発泡樹脂製の断熱材が充填された構造であって、棚網の受け部６４をその外殻と一体形成した構造であるから、受け部を別途備えて後付けする場合と比べて、部品点数の削減と組み付け作業の簡略化を図ることができる。
【００３１】
本実施形態の貯蔵庫本体１０は、複数枚の断熱パネルを組み付けて形成される組み立て式のものであるが、仕切枠１５には、その下端部に、底面パネル２５の前縁の嵌合溝２６と嵌合する嵌合溝６１が、また上端面には、天面パネル５０の前縁下面に形成された嵌合孔５９に挿入嵌合される嵌合柱６３が形成された構造であるから、貯蔵庫本体１０を組み立てることと併せて仕切枠１５の装着が行え、組み付けの作業時間のさらなる短縮化を図ることができる。
【００３２】
＜他の実施形態＞
本発明は上記記述及び図面によって説明した実施形態に限定されるものではなく、例えば次のような実施形態も本発明の技術的範囲に含まれる。  
（１）上記実施形態では、当接部が仕切枠の下端に一体的に延出形成されている場合を例示したが、仕切枠については、その下端が底面パネルの下面から小寸法突出した短尺のものに留め、その仕切枠の突出した下端面に、別体の当接部として備えた短寸の脚部やキャスタを取り付けたものであってもよい。  
（２）上記実施形態では、仕切枠の下端部（当接部）が底面パネルの前縁と嵌合して底面パネルの荷重を当接部にも分散して受ける構造となっているが、仕切枠の当接部は底面パネルを貫通する等で底面パネルの荷重を受けることのない構造であってもよい。
【００３３】
（３）仕切枠の外殻は、上記実施形態に例示した合成樹脂製に限らず、金属板製、あるいは合成樹脂部と金属板部とを結合して形成したものであってもよい。  
（４）貯蔵庫本体は、上記実施形態に例示した複数枚の断熱パネルを組み付けた組み立て式のものに限らず、外箱内に内箱を間隔を開けて装着することにより形成した外殻内に、断熱材を充填した一体形成型のものであってもよい。  
（５）貯蔵庫本体を支持する脚部は、貯蔵庫本体とは別体として準備されて後付けされるようになっていてもよい。
【００３４】
（６）本発明は、上記実施形態に例示した無風冷却方式のものに限らず、蒸発器が天井吊り下げ型、壁置き型等でファンによる強制対流方式のものにも、同様に適用することができる。  
（７）さらに本発明は、貯蔵庫本体の前面開口部に縦向きに仕切枠が配され、かつ同仕切枠の庫内側の面に棚を受ける受け部が設けられた形式の冷却貯蔵庫全般に広く適用することができる。
【符号の説明】
【００３５】
Ｓ…設置面  １０…貯蔵庫本体  １４…前面開口部  １５…仕切枠  １６…出入口  １８…断熱扉  ２５…底面パネル（断熱パネル）  ３０…側面パネル（断熱パネル）  ３２…脚部  ４０…背面パネル（断熱パネル）  ４２…脚部  ５０…天面パネル（断熱パネル）  ６１…嵌合溝（嵌合部；組付部）  ６２…当接部  ６３…嵌合柱（組付部）  ６４…前側受け部（受け部）
【図１】
2012154586.tif 000003
【図２】
2012154586.tif 000004
【図３】
2012154586.tif 000005
【図４】
2012154586.tif 000006
【図５】
2012154586.tif 000007